(57)【要約】【解決手段】二重床構造は、床基盤10上に複数本の支持脚15が立設され、床基盤から空隙をおいて支持脚の各上端に亘って床パネル1 が敷設されてなる。床パネルの下面に設けられた凹部5 に支持脚の上端に設けられた凸起6 が着脱自在に嵌合されている。隣合うパネル同士はパネル四隅に支持脚を取り付けられることにより連結されている。各床パネルは略方形で一辺の寸法が３５０ｍｍ〜６５０ｍｍ、支持脚の支持ボルト8 の下端寄りに鍔16が設けられている。支持ボルト8 の下端部に防振ゴム9 が設けられている。防振ゴムの上端面に開けられた嵌合孔に支持ボルト8 の下端部が差込まれ、防振ゴムは、硬度が５５°〜７０°、高さが２５ｍｍ〜３０ｍｍ、側面部の幅が最も小さい部分で２０ｍｍ以上、重量が１８ｇ〜４０ｇのものである、【効果】施工手間を簡略化でき、二重床の機械的な強度と遮音性能を損なうことがなく、したがって斜め方向の力に対して横揺れが発生したり、支持脚が脱落する恐れがない。【選択図】    図１
2007277884.tif 000002
【特許請求の範囲】
【請求項１】
床基盤上に複数本の支持脚が立設され、床基盤から空隙をおいて支持脚の各上端に亘って床パネルが敷設されてなる二重床構造において、
床パネルの下面に設けられた嵌合部に支持脚の上端に設けられた嵌合部が着脱自在に嵌合され、
隣合うパネル同士がパネル四隅に支持脚を取り付けられることにより連結され、
各床パネルは略方形で一辺の寸法が３５０ｍｍ〜６５０ｍｍであり、
支持脚の支柱部の下端寄りに鍔が設けられ、
該支柱部の下端部に防振ゴムが設けられ、
防振ゴムの上端面に開けられた嵌合孔に支持脚の支柱部の鍔より下の部分が差込まれ、
防振ゴムは、硬度が５５°〜７０°、高さが２５ｍｍ〜３０ｍｍ、側面部の幅が最も小さい部分で２０ｍｍ以上、重量が１８ｇ〜４０ｇのものである、
嵌合式二重床構造。
【発明の詳細な説明】
【技術分野】
【０００１】
本発明は集合住宅、オフィス等に用いられ、階下に伝わる床衝撃音を効果的に遮断することができる二重床構造に関し、より詳しくは、床パネルの下面に設けられた嵌合部と支持脚の上端に設けられて嵌合部とを着脱自在に嵌合する嵌合式二重床構造に関するものである。
【背景技術】
【０００２】
従来、コンクリート製の集合住宅、オフィス等の床構造には床基盤（コンクリートスラブ）上に束、支持脚等を設置し、その上に床パネルを敷設する二重床構造が数多く用いられている。これらの構造の中には、階下に伝わる床衝撃音の遮断を目的として支持脚における床基盤と接する部分に防振ゴムを取り付けたものがある。特に軽量床衝撃音はゴム硬度が低いほど低減される傾向にあり、支持脚の防振ゴムは柔らかくされることが多い。
【０００３】
こういった二重床の施工方法に関しては、パーティクルボード等から構成される板状の床パネルに支持板をビスや釘等の金具を用いて止め付け、敷設することが一般的であるが、施工に手間がかかるという課題がある。
【０００４】
これに対し、支持脚を嵌合方式とした二重床が提案されている（例えば特許文献１参照）。これによって、支持脚を金具で止めつける施工手間を簡略化することが可能となる。
【０００５】
また、略方形の床パネルからなる二重床構造の敷設において、施工手間を減らす目的でパネル一枚あたりの支持脚設置本数をできるだけ少なくしようとした場合、パネル四隅を支持脚で連結する構成が望ましいのは自明の理である。
【０００６】
しかしながら、嵌合式二重床において、このように少ない支持脚本数の場合、支持脚をハンマー等の工具を用いて叩き込んで嵌合させる等、強固に取り付けるか、床基盤上に支持脚を固定する等しなければ、斜め方向の力に対して横揺れが発生したり、支持脚が脱落する恐れがある。
【特許文献１】特開平７−２５２９２６号公報
【発明の開示】
【発明が解決しようとする課題】
【０００７】
本発明はこれらの課題を解決するものである。即ち、施工手間が簡略化でき、且つ二重床の機械的な強度と遮音性能を損なわない二重床構造を提供するものである。
【課題を解決するための手段】
【０００８】
本発明は、床基盤上に複数本の支持脚が立設され、床基盤から空隙をおいて支持脚の各上端に亘って床パネルが敷設されてなる二重床構造において、
床パネルの下面に設けられた嵌合部に支持脚の上端に設けられた嵌合部が着脱自在に嵌合され、
隣合うパネル同士がパネル四隅に支持脚を取り付けられることにより連結され、
各床パネルは略方形で一辺の寸法が３５０ｍｍ〜６５０ｍｍであり、
支持脚の支柱部の下端寄りに鍔が設けられ、
該支柱部の下端部に防振ゴムが設けられ、
防振ゴムの上端面に開けられた嵌合孔に支持脚の支柱部の鍔より下の部分が差込まれ、
防振ゴムは、硬度が５５°〜７０°、高さが２５ｍｍ〜３０ｍｍ、側面部の幅が最も小さい部分で２０ｍｍ以上、重量が１８ｇ〜４０ｇのものである、
嵌合式二重床構造を提供する。
【０００９】
本発明の二重床構造では、支持脚の上部と床パネル下面を着脱自在に嵌合させる。これにより、支持脚をビス等で固定する手間が省ける。
【００１０】
支持脚はパネルの四角に取り付けている。これにより、支持脚の高さを調整する際のパネル穴あけの手間が軽減される。パネル中央を支持する等、一枚あたりの脚の本数が増えると穴あけが必要である等の手間が増える。また、四角に取り付けた脚以外の高さが高くなると、その脚を支点として天秤の状態となる不具合を生じることもある。施工手間を軽減する為には４隅のみに支持脚を取り付けることが最適である。
【００１１】
床パネルの一辺の寸法は３５０ｍｍ〜６５０ｍｍである。この寸法を３５０ｍｍ以上とするのは、単位面積あたりの支持脚本数が少ない方が施工が楽であることに加え、支持脚本数が多いと遮音性能が低下する為である。この寸法が６５０ｍｍ以上となると、運搬に手間がかかる上に、パネルが振動することによる重量衝撃音の低下が起こる恐れがあるからである。一般的に二重床の遮音性能（主に軽量衝撃音）は支持脚のゴム硬度によって決まる。支持脚のスパンが長くなりすぎると、床パネルに高剛性が求められ、使用できる素材、パネルの厚みに限定が加わると共に、遮音性能に最適な硬度（硬度の低い）防振ゴムを使用できなくなる。
【００１２】
支持脚の支柱部の下端寄りには鍔が設けられ、防振ゴムの上端面に開けられた嵌合孔に支柱部の鍔より下の部分を嵌め込む構成としている。これにより嵌合式二重床でありながら、支持脚の嵌合部分を接着したり、強固に嵌合させなくとも支持脚に偏荷重が加わった時の支持脚の倒れを抑制できる。鍔と防振ゴムの間にワッシャーを挿入しても、効率よく支持脚の倒れを抑制できる。
【００１３】
防振ゴムの硬度は５５°〜７０°である。この硬度が５５°以下であれば、衝撃が加わった際、支持脚の支柱部が防振ゴム内に沈み込んでゴムを圧縮することによりゴムの見かけ硬度が大きくなる挙動を示す。このことにより、却って遮音性能が悪化する恐れがある。また、支持部が防振ゴム内に大きく沈み込み、床パネルが振動することも遮音性能に悪影響を及ぼす。支持脚の倒れについても充分な抑制を期待できない。この硬度が７０°以上であっても遮音性能に充分とは言い難い。
【００１４】
防振ゴムの高さは２５ｍｍ〜３０ｍｍである。この高さが２５ｍｍ以下であっては衝撃時に支柱部によってゴムが圧縮され、その結果遮音性能が低下する。この高さが３０ｍｍ以上であっては支持脚の倒れを充分に抑制できない。
【００１５】
防振ゴムの幅については、設置面積が小さい程、遮音性能が向上する。また、あまりに大きいと施工時に配管に干渉して支持脚の位置を変更する必要性も生じる。しかしながら、支持脚の倒れを考慮すると（支持脚の倒れによって衝撃時に二重床が撓むことも遮音性能に悪影響を及ぼす）、最も小さい部分の幅で２０ｍｍ以上が最適である。
【００１６】
防振ゴムの重量は１８〜４０ｇである。この重量が１８ｇ以上であるのは、上記の寸法範囲内で防振ゴム内部に穿孔を設けたり、上下面に溝を設けたりして遮音性能を向上させた際に、支持脚の倒れや、床の沈み込みを抑制する為である。また、この重量が４０ｇ以上であっては充分なクッション効果が得られず、遮音性能が悪化する。
【００１７】
防振ゴムの材質はＮＢＲ、ＳＢＲ、シリコーン系のものなど、一般的に防振ゴムに用いられるもので特に限定されない。また、防振ゴムは、上記寸法、重量を有する範囲内で、発泡体であってもよい。
【発明の効果】
【００１８】
本発明の嵌合式二重床構造によれば、施工手間を簡略化できる上に、二重床の機械的な強度と遮音性能を損なうことがなく、したがって斜め方向の力に対して横揺れが発生したり、支持脚が脱落する恐れがない。
【発明を実施するための最良の形態】
【００１９】
以下、本発明の実施例について図面を用いて詳細に説明する。
【００２０】
実施例１
二重床構造床は、床基盤上に複数本の支持脚が立設され、床基盤から空隙をおいて支持脚の各上端に亘って床パネルが敷設されてなる。以下、二重床構造床の床パネル、支持脚および床構成について詳しく説明をする。
【００２１】
〔Ｉ〕床パネル
図２において、床パネル(1) の下面には支持脚が嵌合可能となるように格子状のリブ(2) を設けることにより多数の凹部(5) が形成されている。床パネル(1) 下面の凹凸形成手法はこの限りでなく、床パネルに貫通孔を設けるなどしてもよいが、床仕上げ材を固定しやすくし、支持脚の設置可能な位置を多くする為に格子状のリブにより多数の凹部が形成されている。
【００２２】
なお、床パネルは、原材料として無機粉体４０ｖｏｌ％とポリオレフィン６０ｖｏｌ％からなる組成物を回転羽根により攪拌することで熔融し、この熔融物をプレス成形して得たものである。
【００２３】
床パネルを構成する素材は樹脂、金属、木材、石材もしくは前記組成物など特に限定されないが、金型を用いたプレス成形、射出成形が容易に行える熱可塑性樹脂を主体としたものが好ましく、素材の剛性を向上させる為に木粉や無機材粉を充填することが好ましい。
【００２４】
床パネルは方形で一辺の長さが５００ｍｍである。
【００２５】
〔II〕支持脚
図１において、支持脚(15)は支持ボルト(8) を主体とし、その上部には床パネル支持板(3) が取り付けてある。支持板(3) はポリオレフィンを射出成形することにより得たものである。支持板(3) の素材は特に限定されないが、後述する凸起(6) が射出成形で支持板(3) と一体に成形しやすい為に熱可塑性樹脂を主体としたものが望ましい。支持板(3) の上面すなわち床パネル支持面(4) には凸起(6) が設けられ、床パネル(1) 下面に設けられた凹部(5) に嵌合されている。支持脚と床パネルの嵌合方法はこの限りではなく、支持脚に凹部を設けて床パネルに凸起を設け、これらを凹凸起嵌合させる等でもよい。また、図４に示すように、複数の凸起(6) の間に補助凸起(11)を設けて補助凸起(11)と凸起(6) の間にリブ(2) を挟み込んで支持脚の位置調整をしやすくしてもよい。嵌合床パネル敷設後に床下地の高さを調整する為に、床パネル支持板(3) の下面にはナット(7) が取り付けられ、これに支持ボルト(8) が回転可能に螺合している。また、支持ボルト下端には防振ゴム(9) が取り付けられ、その底面が床基盤(10)と接している。
【００２６】
支持脚(15)の支持ボルト(8) には下端よりに鍔(16)が設けられている。防振ゴムの上端面に垂直に開けられた嵌合孔(17)に支持ボルト(8) の鍔(16)より下の部分(18)が差込まれている。また、鍔(16)と防振ゴム(9) 上面との間にはナイロン製のワッシャー(21)が挿入してある。防振ゴムの材質はＮＢＲとした。
【００２７】
防振ゴムは硬度６０°である。防振ゴムの高さ２８ｍｍ、側面部の最小幅は２８ｍｍである。防振ゴムの重量は２５ｇである。
【００２８】
〔III〕床構成
図１において、前項記載の通り、支持脚(15)上に床パネル(1) を凹凸嵌合により設置し、床仕上げ材として合板フローリング(14)を床パネル上に固定する。床パネルと床仕上げ材の間には捨張合板や制振シート等の副資材を介挿して施工してもよい。
【００２９】
また、床パネルと床基盤の間にはグラスウール、ロックウール等の断熱材を設置してもよい。
【００３０】
こうして、嵌合式二重床構造を作製した。
【００３１】
実施例２〜４、比較例１〜１０
床パネルの一辺の長さ、支持脚の取付け方式、防振ゴムの硬度、寸法、重量を表１に示すように変え、ワッシャーの有無、鍔の有無により、実施例２〜４、比較例１〜１０の嵌合式二重床構造を作製した。比較例３のものは、図５に示すように、支持ボルト(8) 下端の大径部(20)を防振ゴム(9) 内に抱き込むように、大径部(20)にゴム(9) 上端の内方突部(19)を被せたものである。
【００３２】
評価試験
〔Ｉ〕試験方法
ａ）軽量衝撃音
建築物の２階に約１０ｍ２  の二重床を敷設し、この二重床上に金属製スプーンの落下し、スリッパで歩行し、直下の１階でパネラー１０名による遮音性の官能試験を行った。試験結果を表１に示す。
【００３３】
ｂ）重量衝撃音
建築物の２階に約１０ｍ２  の二重床を敷設し、この二重床上にゴムボールを落下し、また砂袋を落下し、直下の１階でパネラー１０名による遮音性の官能試験を行った。試験結果を表１に示す。
【００３４】
ｃ）支持脚の倒れ
１２ｍｍ厚合板フローリングを施工する時にパネル中央部に１００ｋｇの鉛直荷重（直径８０ｍｍの圧子）をかけて、支持脚の倒れの角度を測定した。試験結果を表１に示す。
【００３５】
ｄ）支持脚の鉛直方向沈み
支持脚の倒れ角度の測定と同じ方法で、支持脚の鉛直方向沈みの程度を測定した。試験結果を表１に示す。
【表１】
2007277884.tif 000003
【００３６】
表中、◎は遮音性が極めてよい、○は遮音性がよい、△は遮音性がよくない、×は遮音性が極めてよくない、をそれぞれ意味する。
【００３７】
表１から分かるように、実施例の二重床構造では、いずれの項目においても良好な結果が得られた。
【図面の簡単な説明】
【００３８】
【図１】本発明の二重床設置例を示す垂直断面図である。
【図２】床パネル下面の例を示す斜視図である。
【図３】床パネル凹部に支持板凸部が嵌め込まれた例を示す斜視図である。
【図４】（ａ）は支持板の例を示す平面図、（ｂ）はその側面図である。
【図５】比較例３の二重床設置例を示す垂直断面図である。
【符号の説明】
【００３９】
(1) …床パネル
(2) …リブ
(3) …支持板
(4) …床パネル支持面
(5) …凹部
(6) …凸起
(7) …ナット
(8) …支持ボルト
(9) …防振ゴム
(10)…床基盤
(11)…補助凸起
(12)…巾木
(13)…框材
(14)…フローリング
(15)…支持脚
(16)…鍔
(17)…嵌合孔
(18)…鍔より下の部分
【図１】
2007277884.tif 000004
【図２】
2007277884.tif 000005
【図３】
2007277884.tif 000006
【図４】
2007277884.tif 000007
【図５】
2007277884.tif 000008